(57)【要約】【課題】  スクリーンセーバーコンテンツの表示が解除された際に、スクリーンセーバーコンテンツとして表示されていた重要事項についての詳細を医療従事者が容易に確認することができるようにする。【解決手段】  医療従事者が患者に対して実施する看護行為の内容を示す看護行為情報とその看護行為の内容の要約を示す要約情報とを対応付けて予め記憶部３に記憶しておく。計測した時間が所定の時間になった場合に、そこまで操作検知部２ａが操作を検知していないときに、重要事項を抽出するための所定の条件の看護行為情報に対応付けられている要約情報を含む文字列で構成されるスクリーンセーバーコンテンツを表示させる。その間、操作を検知した場合に、制御部２は、スクリーンセーバーコンテンツとして表示されていた要約情報に対応付けてられている看護行為情報を表示するためのリンク情報を含む画面データを表示させる。【選択図】        図１
2010039522.tif 000002
【特許請求の範囲】
【請求項１】
医療従事者が患者に対して実施する看護行為の内容を示す看護行為情報と前記看護行為の内容の要約を示す要約情報とを対応付けて予め記憶しておく記憶部と、
所定の条件にて抽出された看護行為情報に対応付けられている要約情報を前記記憶部から取得する情報取得部と、
前記情報取得部にて取得した要約情報を含む文字列で構成されるスクリーンセーバーコンテンツを構成するためのコンテンツデータを生成するスクリーンセーバー生成部と、
前記情報取得部にて取得した要約情報に対応付けられて前記記憶部に記憶されている看護行為情報を表示するためのリンクを示すリンク情報を生成するリンク情報生成部と、
前記リンク情報生成部にて生成したリンク情報を表示するための画面データを生成する画面生成部と、
時間を計測するタイマー部と、
前記スクリーンセーバー生成部にて生成されたコンテンツデータまたは前記画面生成部にて生成した画面データを表示する表示部と、
操作を検知する操作検知部と、
前記タイマー部が計測した時間が所定の時間になったか否かを判定するとともに、前記操作検知部が操作を検知したか否かを判定する判定部と、
前記操作検知部が操作を検知していないと前記判定部にて判断した場合に前記タイマー部を動作させ、前記タイマー部が計測した時間が所定の時間となるまでに前記操作検知部が操作を検知したと前記判定部にて判断した場合に前記タイマー部の動作をリセットさせる一方、前記タイマー部が計測した時間が所定の時間になっても前記操作検知部が操作を検知していないと前記判定部にて判断した場合に前記スクリーンセーバー生成部にて生成されたコンテンツデータを前記表示部に表示させて、前記コンテンツデータを前記表示部に表示させている間に前記操作検知部が操作を検知したと前記判定部にて判断した場合に前記コンテンツデータの表示を停止させて前記画面生成部にて生成された画面データを前記表示部に表示させる制御部と、
を備えたことを特徴とする看護支援システム。
【発明の詳細な説明】
【技術分野】
【０００１】
本発明は、病院などの医療機関において、医師や看護師などの医療従事者に対する看護業務を支援するための看護支援システムに関する。
【背景技術】
【０００２】
一般に病院では、看護行為を効率的に進めるために看護支援システムが用いられている。従来の看護支援システムでは、医師や看護師などの医療従事者がパソコン（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔｓ）などの端末装置を利用することにより、看護行為を実施した内容（看護実績）などのデータの入力が行われている。
【０００３】
ところで、医療従事者により一定時間キーボードなどによる操作入力が行われない場合に、端末装置は、スクリーンセーバーとして機能するアプリケーションを起動させて、端末装置のディスプレイの焼き付けを防ぐようにすることが実施されている。また、ディスプレイの焼き付けを防ぐためのスクリーンセーバーの技術として、特許文献１に記載のテレビ用スクリーンセーバーが知られている。
【特許文献１】特開２００５−９４２９９号公報
【０００４】
特許文献１に記載の技術によれば、主に高輝度の静止画により表現されるデータ放送表示中のテレビ受信機が所定の時間操作されていない場合に、テレビ受信機は、指定されたスクリーンセーバーコンテンツを自動的に表示する。そして、このスクリーンセーバーコンテンツが表示されている場合に、テレビ受信機に対して操作入力が発生すると、テレビ受信機は、元のデータ放送表示に復帰するようにしている。ここで、スクリーンセーバーコンテンツとは、画面の焼き付けを起こさないようにする映像であれば何でも良く、例えば、本線映像（通常の放送映像）や宣伝広告のために制作された番組の映像などの動画、低輝度の静止画を示すものである。
【０００５】
このような特許文献１に記載の技術を看護支援システムに適用すると、医療従事者が実施すべき看護行為の内容などといった重要事項をスクリーンセーバーコンテンツとして表示することが考えられる。ここで、医療従事者が操作入力を行った場合には、スクリーンセーバーコンテンツを表示する前の画面が表示される。
【０００６】
このような技術によれば、スクリーンセーバーコンテンツとして表示されている重要事項を見た医療従事者が、表示されている重要事項の詳細な情報を確認しようと思って操作入力を行っても、スクリーンセーバーコンテンツを表示する前の画面が表示されるだけであった。そのため、医療従事者がスクリーンセーバーコンテンツとして表示されていた重要事項の詳細を確認するためには、スクリーンセーバーコンテンツとして表示されていた重要事項に該当する患者や看護行為の内容などを示す情報を用いて看護支援システムに登録されたデータをいちいち検索して、重要事項の詳細な情報を探さなければならず、医療従事者が重要事項の詳細を容易に確認することができないという問題があった。
【発明の開示】
【発明が解決しようとする課題】
【０００７】
本発明は、このような課題を解決するために成されたものであり、スクリーンセーバーコンテンツの表示が解除された際に、スクリーンセーバーコンテンツとして表示されていた重要事項についての詳細を医療従事者が容易に確認することができるようにすることを目的とする。
【課題を解決するための手段】
【０００８】
上述した課題を解決するために、本発明の看護支援システムでは、医療従事者が患者に対して実施する看護行為の内容を示す看護行為情報とその看護行為の内容の要約を示す要約情報とを対応付けて予め記憶しておく。所定の時間操作が行われなかった場合に、重要事項を抽出するための所定の条件にて抽出された看護行為情報に対応付けて記憶されている要約情報を取得し、取得した要約情報を含む文字列で構成されるスクリーンセーバーコンテンツを表示する。そして、スクリーンセーバーコンテンツを表示している間に何らかの操作が行われると、スクリーンセーバーコンテンツとして表示されていた要約情報に対応付けて記憶されている看護行為情報を表示するためのリンクをスクリーンセーバーコンテンツの代わりに表示するようにしている。
【発明の効果】
【０００９】
上記のように構成した本発明によれば、スクリーンセーバーコンテンツの表示を停止させる操作を行って、表示を解除させた際に、スクリーンセーバーコンテンツとして表示されていた重要事項である要約情報に対応する看護行為情報の詳細な内容を表示するためのリンクが表示されるので、スクリーンセーバーコンテンツが表示されている際に操作を行った医療従事者などは、表示されたリンクを操作することで、要約情報に対応付けられている看護行為情報の詳細な内容を画面に表示させることができる。これにより、医療従事者などは、スクリーンセーバーコンテンツとして表示されていた重要事項についての詳細を容易に確認することができる。
【発明を実施するための最良の形態】
【００１０】
以下、本発明の一実施形態を図面に基づいて説明する。本実施形態による看護支援システムのブロック図を図１に示す。同図に示すように、看護支援システム１は、制御部２、記憶部３、情報取得部４、スクリーンセーバー生成部５、リンク情報生成部６、画面生成部７、表示部８、タイマー部９を備えて構成されている。また、制御部２は、操作検知部２ａ、判定部２ｂを備えて構成されている。
【００１１】
制御部２は、看護支援システム１の各構成要素を後述するように制御する。記憶部３は、図２に示すように、看護行為領域３１、要約領域３２を格納している。また、記憶部３は、スクリーンセーバーコンテンツが後述する表示部８に表示される際に、それまで表示部８に表示されていた画面の画面データを一時的に記憶する。ここで、看護行為領域３１および要約領域３２は互いに対応付けられている。看護行為領域３１には、医療従事者が患者に対して実施する看護行為の内容を示す看護行為情報（例えば、実施日時：６／２６  ９：３０、患者氏名：山田太郎、実施内容：栄養剤点滴など）が格納されている。要約領域３２には、看護行為の内容の要約を示す要約情報（例えば、看護行為情報が実施日時：６／２６  ９：３０、患者氏名：山田太郎、実施内容：栄養剤点滴であるのに対して要約情報が６／２６  ９：３０  山田太郎  栄養剤点滴など）が格納されている。ここで、看護行為情報および要約情報は、図示しない入力画面により看護行為情報および要約情報を医療従事者が入力した際に記憶部３に記憶される。なお、本実施形態では、記憶部３は、実施日時：６／２６  ９：３０、患者氏名：山田太郎、実施内容：栄養剤点滴などの文字列を看護行為情報として格納しているが、これに限定されない。例えば、記憶部３は、レントゲン写真などの画像データや測定器などから出力された測定データを看護行為情報として格納するようにしても良い。
【００１２】
情報取得部４は、記憶部３に記憶されている看護行為情報の中から所定の条件に該当する看護行為情報を記憶部３から抽出する。また、情報取得部４は、抽出した看護行為情報に対応付けられている要約情報を記憶部３から取得する。ここで、所定の条件とは、重要事項に該当する看護行為の要約情報を抽出するためのものであり、看護行為の実施日が当日のもの、看護行為の実施時間が数時間以内のものといった日時を限定したものや、看護行為のうち医療従事者などが重要であると判断して手動で選択したものなどを示す。
【００１３】
スクリーンセーバー生成部５は、情報取得部４にて取得した要約情報を取得し、取得した要約情報を含む文字列で構成されるスクリーンセーバーコンテンツを構成するためのコンテンツデータを生成する。ここで、スクリーンセーバー生成部５は、要約情報を含む文字列が画面の右端から左端へ流れるように表示される動画データを生成する。また、スクリーンセーバー生成部５は、生成した動画データと任意の静止画データとを組み合わせてコンテンツデータを生成する。ここで、静止画データは、画面の背景用の画像データとして用いられる。なお、本実施形態では、スクリーンセーバー生成部５は、要約情報を含む文字列が画面の右端から左端へ流れるように表示される動画データと任意の静止画データとを組み合わせてコンテンツデータを生成しているが、これに限定されない。例えば、スクリーンセーバー生成部５は、要約情報を含む文字列が画面の上端から下端へ流れるように表示される動画データや要約情報を含む文字列が表示／非表示を繰り返すような画像データなどを使用してコンテンツデータを生成するようにしても良い。要は、スクリーンセーバー生成部５は、スクリーンセーバーを見た医療従事者などが要約情報の内容を視認することができるようなコンテンツデータを生成するようにすれば良い。
【００１４】
リンク情報生成部６は、スクリーンセーバー生成部５にて生成したコンテンツデータに含まれる要約情報を取得する。ここで、リンク情報生成部６は、スクリーンセーバーが停止する直前に表示されていた要約情報を取得する。リンク情報生成部６は、取得した要約情報に対応する看護行為情報を記憶部３から取得する。そして、リンク情報生成部６は、その看護行為情報を表示するためのリンクを示すリンク情報を生成する。
【００１５】
ここで、リンクは、画面に表示されるとクリック操作が可能なボタンやハイパーテキストなどであり、これを見た医療従事者などが要約情報を推測することができるように表示される。つまり、ボタンやハイパーテキストの表示は、ボタンやハイパーテキストをクリックすることで、スクリーンセーバーとして表示されていた要約情報に対応する看護行為情報が表示されることを直感的に理解させる。また、リンクをクリックすると、制御部２は、リンク情報生成部６にて生成されたリンク情報により特定される看護行為情報を記憶部３から取得し、取得した看護行為情報を後述する表示部８に表示させる。なお、本実施形態では、リンク情報生成部６は、スクリーンセーバーが解除される直前に表示されていた要約情報を取得しているが、これに限定されない。例えば、リンク情報生成部６は、スクリーンセーバーコンテンツが表示されている際に要約情報を定期的に取得するようにしても良い。
【００１６】
画面生成部７は、リンク情報生成部６にて生成したリンク情報を表示するための画面データを生成する。ここで、画面生成部７は、その画面データを生成する際に、スクリーンセーバーコンテンツが表示される前に表示されていた画面を構成するための画面データに含ませる。また、画面生成部７は、リンク情報を表示するための画面データを生成するだけでなく、病棟管理日誌画面などの画面を開く操作やリンクをクリックする操作などの所定の操作にて指定された表示を構成するための画面データも生成する。
【００１７】
表示部８は、スクリーンセーバー生成部５にて生成されたコンテンツデータまたは画面生成部７にて生成した画面データを表示するものであり、表示ディスプレイなどにより構成されている。
【００１８】
タイマー部９は、時間を計測する。医療従事者などが看護支援システム１を起動させたと制御部２にて判断した場合に、制御部２は、タイマー部９を動作させる。また、医療従事者などが看護支援システム１の動作を終了させるまで、制御部２は、タイマー部９の動作を継続させる。操作検知部２ａは、図示しない操作部（例えば、マウスやキーボードなど）での操作を検知する。具体的には、操作検知部２ａは、操作部からの操作信号を入力したか否かを判定する。ここで、操作信号は、医療従事者などが操作部を操作した際に操作部から出力され、医療従事者などが操作部を操作したことを示すものである。
【００１９】
判定部２ｂは、タイマー部９が計測した時間が所定の時間になったか否かを判定するとともに、操作検知部２ａが操作を検知したか否か（換言すると、操作検知部２ａが操作部からの操作信号を入力したか否か）を判定する。操作検知部２ａが操作を検知した（換言すると、操作検知部２ａが操作部からの操作信号を入力した）と判定部２ｂにて判断した場合に、制御部２は、タイマー部９の動作をリセットする。また、この場合、コンテンツデータが表示部８に表示されていれば、制御部２は、スクリーンセーバー生成部５にて生成したコンテンツデータから画面生成部７にて生成した画面データに表示部８への出力を切り換える（換言すると、制御部２は、スクリーンセーバーコンテンツの表示を停止させ、スクリーンセーバーコンテンツが表示される前に表示されていた画面を、リンク情報生成部６にて生成したリンク情報を表示させるための画面を含ませて表示させる）。
【００２０】
また、タイマー部９が計測した時間が所定の時間になったと判定部２ｂにて判断した場合に、所定の時間になるまで操作検知部２ａが操作を検知していないと判定部２ｂにて判断したときに、制御部２は、画面生成部７にて生成した画面データからスクリーンセーバー生成部５にて生成したコンテンツデータへ表示部８への出力を切り換える（換言すると、制御部２は、スクリーンセーバーコンテンツを表示部８に表示させる）。ここで、所定の時間とは、医療従事者などにより任意に設定された時間である。
【００２１】
次に、表示部８に表示される画面の遷移の具体例を説明する。ここで、本実施形態では、医療従事者が病棟管理日誌画面を開く操作を行うとし、図２に示す看護行為情報が実施日時：６／２７  １０：３０、患者氏名：田中次郎、実施内容：血液検査というデータをスクリーンセーバーコンテンツに表示させることとする。また、このデータを取得する所定の条件として、情報取得部４は、現在日時（６／２７  １０：００）から一時間以内に実施されるものを取得することとする。
【００２２】
図３は、本実施形態による看護支援システム１の表示部８の画面の遷移例を示す説明図であり、図３（ａ）は、通常時の表示画面を示す図、図３（ｂ）は、スクリーンセーバーコンテンツの表示画面を示す図、図３（ｃ）は、スクリーンセーバーコンテンツの表示を解除したときの表示画面を示す図、図３（ｄ）は、看護行為情報の詳細内容の表示画面を示す図である。まず、病棟管理日誌画面を開く操作が行われた場合に、制御部２は、その操作に対応し、病棟管理日誌画面を生成するためのデータをデータベース（図示せず）などから取得して画面生成部７に出力する。画面生成部７は、制御部２が出力した病棟管理日誌画面を生成するためのデータを入力し、病棟管理日誌画面８ａの画面データを生成する。そして、制御部２は、画面生成部７が生成した病棟管理日誌画面８ａの画面データを取得し、図３（ａ）に示すように病棟管理日誌画面８ａを表示部８に表示させる。病棟管理日誌画面８ａを表示部８に表示させると、制御部２は、タイマー部９を動作させる。
【００２３】
図３（ａ）に示す表示部８には、病棟管理日誌画面８ａが表示されている。病棟管理日誌画面８ａは、入退院の人数などを医療従事者が入力または参照するための画面である。病棟管理日誌画面８ａが表示部８に表示されると、判定部２ｂは、タイマー部９が計測した時間が所定の時間になったか否かを判定するとともに、操作検知部２ａが操作を検知したか否かを判定する。タイマー部９が計測した時間が所定の時間になっていないと判定部２ｂにて判断した場合に、操作検知部２ａが操作を検知したと判定部２ｂにて判断したときに、制御部２は、タイマー部９の動作をリセットする。一方、タイマー部９が計測した時間が所定の時間になっていないと判定部２ｂにて判断した場合に、操作検知部２ａが操作を検知していないと判定部２ｂにて判断したときに、制御部２は、タイマー部９の動作を継続させる。
【００２４】
また、タイマー部９が計測した時間が所定の時間になったと判定部２ｂにて判断した場合に、そこまで操作検知部２ａが操作を検知していないと判定部２ｂにて判断したときに、情報取得部４は、図示しない現在日時取得部から現在日時情報を取得する。また、情報取得部４は、記憶部３に記憶されている看護行為情報の中から、現在日時情報（６／２７  １０：００）から一時間以内に実施される看護行為の看護行為情報を記憶部３から抽出し、抽出した看護行為情報に対応付けられている要約情報を記憶部３から取得する。また、スクリーンセーバー生成部５は、情報取得部４にて取得した要約情報を取得し、取得した要約情報を含む文字列で構成されるコンテンツデータを生成する。そして、制御部２は、表示部８に表示させている病棟管理日誌画面８ａの画面データを記憶部３に一時的に記憶し、スクリーンセーバー生成部５にて生成されたコンテンツデータを取得し、図３（ｂ）に示すようにスクリーンセーバーコンテンツを表示部８に表示させる。
【００２５】
図３（ｂ）に示す表示部８には、スクリーンセーバー画面８ｂが表示されている。スクリーンセーバー画面８ｂは、現在日時（６／２７  １０：００）から一時間以内に実施される看護行為の看護行為情報に対応する要約情報６／２７  １０：３０  田中次郎  血液検査という文字列が画面の右端から左端へ流れるように表示される動画データと背景となる無地の静止画データとが組み合わさっている。ここで、ある一瞬のスクリーンセーバー画面８ｂには、スクリーンセーバーコンテンツの一部が静止画として表示され、複数のスクリーンセーバー画面８ｂが表示部８に連続して表示されることで、スクリーンセーバーコンテンツ全体が動画として表示部８に表示されることになる。
【００２６】
スクリーンセーバーコンテンツが表示部８に表示されると、判定部２ｂは、操作検知部２ａが操作を検知したか否かを判定する。スクリーンセーバーコンテンツが表示部８に表示されている際に、操作検知部２ａが操作を検知していないと判定部２ｂにて判断した場合に、制御部２は、スクリーンセーバーコンテンツを表示部８に継続して表示させる。
【００２７】
一方、スクリーンセーバーコンテンツが表示部８に表示されている際に、操作検知部２ａが操作を検知したと判定部２ｂにて判断した場合に、リンク情報生成部６は、現在表示されているスクリーンセーバーコンテンツの内容である要約情報を取得し、取得した要約情報に対応する看護行為情報を表示するためのリンク情報を生成する。画面生成部７は、リンク情報生成部６にて生成したリンク情報を取得するとともに、記憶部３に一時的に記憶されている画面データ（スクリーンセーバーを起動する前に表示していた病棟管理日誌画面８ａの画面データ）を記憶部３から取得する。画面生成部７は、取得した病棟管理日誌画面８ａの画面データにリンク情報を含ませてスクリーンセーバー解除後のリンク画面８ｃの画面データを生成する。そして、制御部２は、画面生成部７が生成したスクリーンセーバー解除後のリンク画面８ｃの画面データを取得し、図３（ｃ）に示すようにスクリーンセーバー解除後のリンク画面８ｃを表示部８に表示させる。また、スクリーンセーバーコンテンツが表示部８に表示されている際に、操作検知部２ａが操作を検知したと判定部２ｂにて判断した場合に、制御部２は、タイマー部９の動作をリセットする。
【００２８】
リンク画面８ｃは、スクリーンセーバーを起動する前の病棟管理日誌画面８ｘとリンク情報生成部６が生成したリンク情報からなるリンク表示画面８ｙとから構成されている。ここで、スクリーンセーバーを起動する前の病棟管理日誌画面８ｘは、病棟管理日誌画面８ａと同一のものである。また、リンク表示画面８ｙには、文字部分をクリック操作することが可能なリンク８１が表示されており、文字部分は、スクリーンセーバー画面８ｂに表示されていた看護行為の要約情報を示すものである。リンク画面８ｃが表示部８に表示されると、判定部２ｂは、リセットされたタイマー部９が計測した時間が所定の時間になったか否かを判定するとともに、操作検知部２ａが操作を検知したか否かを判定する。リセットされたタイマー部９が計測した時間が所定の時間になったと判定部２ｂにて判断した場合に、そこまで操作検知部２ａが操作を検知していないと判定部２ｂにて判定したときに、制御部２は、前述の処理を実行してスクリーンセーバーコンテンツを再び表示部８に表示させる。
【００２９】
一方、リセットされたタイマー部９が計測した時間が所定の時間になっていないと判定部２ｂにて判断した場合に、操作検知部２ａが操作を検知したと判定部２ｂにて判定したときに、制御部２は、タイマー部９の動作をリセットする。このとき、判定部２ｂは、操作検知部２ａが検知した操作がリンクのクリックであるか否かを判定する。操作検知部２ａが検知した操作がリンクのクリックであると判定部２ｂにて判断した場合に、制御部２は、クリック操作により特定される看護行為情報を記憶部３から取得する。画面生成部７は、制御部２が取得した看護行為情報を表示する看護行為詳細画面８ｄの画面データを生成する。そして、制御部２は、表示部８に表示させているリンク画面８ｃの画面データを記憶部３に一時的に記憶し、画面生成部７が生成した看護行為詳細画面８ｄの画面データを取得し、図３（ｄ）に示すように看護行為詳細画面８ｄを表示部８に表示させる。
【００３０】
図３（ｄ）に示す看護行為詳細画面８ｄには、この画面を閉じるための閉じるボタン（図示せず）が表示されている。この状態で、判定部２ｂは、閉じるボタンの押下操作が行われたことを操作検知部２ａが検知したか否かを判定する。閉じるボタンの押下操作が行われたことを操作検知部２ａが検知したと判定部２ｂにて判断した場合に、画面生成部７は、看護行為詳細画面８ｄが表示部８に表示される前に表示されていたリンク画面８ｃの画面データを記憶部３から取得する。そして、制御部２は、タイマー部９の動作をリセットするとともに、リンク画面８ｃの画面データを取得し、図３（ｃ）に示すようにリンク画面８ｃを表示部８に表示させる。なお、本実施形態では、閉じるボタンの押下操作が行われた場合に、制御部２は、リンク画面８ｃを表示部８に表示させているが、これに限定されない。例えば、閉じるボタンの押下操作が行われた場合に、制御部２は、図３（ａ）に示すように、病棟管理日誌画面８ａを表示部８に表示させるようにしても良い。
【００３１】
次に、本実施形態による看護支援システム１の動作を説明する。図４は、本実施形態による看護支援システム１の動作を示すフローチャートである。まず、病棟管理日誌画面を開く操作が行われると、画面生成部７は、病棟管理日誌画面の画面データを生成する。制御部２は、画面生成部７により生成された画面データによって、その病棟管理日誌画面８ａを表示部８に表示させるとともに、タイマー部９を動作させる（ステップ４０１）。
【００３２】
病棟管理日誌画面８ａが表示部８に表示されると、判定部２ｂは、タイマー部９が計測した時間が所定の時間になったか否かを判定する（ステップ４０２）。タイマー部９が計測した時間が所定の時間になったと判定部２ｂにて判断した場合には（ステップ４０２にてＹＥＳ）、ステップ４０５の処理へ移る。一方、タイマー部９が計測した時間が所定の時間になっていないと判定部２ｂにて判断した場合には（ステップ４０２にてＮＯ）、判定部２ｂは、操作検知部２ａが操作を検知したか否かを判定する（ステップ４０３）。操作検知部２ａが操作を検知していないと判定部２ｂにて判断した場合には（ステップ４０３にてＮＯ）、ステップ４０２の処理に戻る。一方、操作検知部２ａが操作を検知したと判定部２ｂにて判断した場合には（ステップ４０３にてＹＥＳ）、制御部２は、タイマー部９の動作をリセットし（ステップ４０４）、ステップ４０２の処理に戻る。
【００３３】
ステップ４０５では、情報取得部４は、所定の条件に該当する看護行為情報に対応付けて記憶されている要約情報を記憶部３から取得する。具体的には、図示しない現在日時取得部から現在日時情報を取得し、記憶部３に記憶されている看護行為情報の中から、取得した現在日時情報から一時間以内に実施される看護行為の看護行為情報を記憶部３から抽出する。そして、抽出した看護行為情報に対応付けて記憶されている要約情報を記憶部３から取得する。また、スクリーンセーバー生成部５は、情報取得部４にて取得した要約情報を含む文字列で構成されるコンテンツデータを生成する。制御部２は、表示部８に表示させている病棟管理日誌画面８ａの画面データを記憶部３に一時的に記憶し、スクリーンセーバーコンテンツを表示部８に表示させる。
【００３４】
スクリーンセーバーコンテンツのスクリーンセーバー画面８ｂが表示されている際に、判定部２ｂは、操作検知部２ａが操作を検知したか否かを判定する（ステップ４０６）。スクリーンセーバーコンテンツのスクリーンセーバー画面８ｂが表示されている際に、操作検知部２ａが操作を検知していないと判定部２ｂにて判断した場合には（ステップ４０６にてＮＯ）、ステップ４０６の処理に戻り、操作検知部２ａが操作を検知するまで処理を継続する。
【００３５】
一方、操作検知部２ａが操作を検知したと判定部２ｂにて判断した場合には（ステップ４０６にてＹＥＳ）、制御部２は、タイマー部９の動作をリセットする。また、リンク情報生成部６は、現在表示されているスクリーンセーバーコンテンツのスクリーンセーバー画面８ｂの内容である要約情報を取得し、取得した要約情報に対応する看護行為情報を表示するためのリンク情報を生成する。画面生成部７は、リンク情報生成部６にて生成したリンク情報を取得するとともに、スクリーンセーバーを起動する前に表示していた病棟管理日誌画面８ａの画面データを記憶部３から取得し、リンク情報を含ませてリンク画面８ｃの画面データを生成する。制御部２は、リンク画面８ｃを表示部８に表示させる（ステップ４０７）。
【００３６】
リンク画面８ｃが表示部８に表示されると、判定部２ｂは、タイマー部９が計測した時間が所定の時間になったか否かを判定する（ステップ４０８）。タイマー部９が計測した時間が所定の時間になったと判定部２ｂにて判断した場合には（ステップ４０８にてＹＥＳ）、ステップ４０５の処理へ移る。一方、タイマー部９が計測した時間が所定の時間になっていないと判定部２ｂにて判断した場合には（ステップ４０８にてＮＯ）、判定部２ｂは、操作検知部２ａが操作を検知したか否かを判定する（ステップ４０９）。操作検知部２ａが操作を検知していないと判定部２ｂにて判断した場合には（ステップ４０９にてＮＯ）、ステップ４０８の処理に戻る。一方、操作検知部２ａが操作を検知したと判定部２ｂにて判断した場合には（ステップ４０９にてＹＥＳ）、制御部２は、タイマー部９の動作をリセットする（ステップ４１０）。次に、判定部２ｂは、操作検知部２ａが検知した操作がリンクのクリックであるか否か（換言すると、リンク操作が行われたか否か）を判定する（ステップ４１１）。
【００３７】
操作検知部２ａが検知した操作がリンクのクリックではない（換言すると、リンク操作が行われていない）と判定部２ｂにて判断した場合には（ステップ４１１にてＮＯ）、ステップ４０８の処理に戻る。一方、操作検知部２ａが検知した操作がリンクのクリックである（換言すると、リンク操作が行われた）と判定部２ｂにて判断した場合には（ステップ４１１にてＹＥＳ）、制御部２は、クリック操作により特定される看護行為情報を記憶部３から取得する。画面生成部７は、制御部２が取得した看護行為情報を表示する看護行為詳細画面８ｄの画面データを生成する。制御部２は、表示部８に表示させているリンク画面８ｃの画面データを記憶部３に一時的に記憶し、看護行為詳細画面８ｄを表示部８に表示させる（ステップ４１２）。
【００３８】
看護行為詳細画面８ｄが表示部８に表示されると、判定部２ｂは、タイマー部９が計測した時間が所定の時間になったか否かを判定する（ステップ４１３）。タイマー部９が計測した時間が所定の時間になったと判定部２ｂにて判断した場合には（ステップ４１３にてＹＥＳ）、ステップ４０５の処理へ移る。一方、タイマー部９が計測した時間が所定の時間になっていないと判定部２ｂにて判断した場合には（ステップ４１３にてＮＯ）、判定部２ｂは、操作検知部２ａが操作を検知したか否かを判定する（ステップ４１４）。操作検知部２ａが操作を検知していないと判定部２ｂにて判断した場合には（ステップ４１４にてＮＯ）、ステップ４１３の処理に戻る。一方、操作検知部２ａが操作を検知したと判定部２ｂにて判断した場合には（ステップ４１４にてＹＥＳ）、制御部２は、タイマー部９の動作をリセットする（ステップ４１５）。次に、判定部２ｂは、操作検知部２ａが検知した操作が閉じるボタンの押下であるか否か（換言すると、閉じるボタンの押下操作が行われたか否か）を判定する（ステップ４１６）。
【００３９】
操作検知部２ａが検知した操作が閉じるボタンの押下ではない（換言すると、閉じるボタンの押下操作が行われていない）と判定部２ｂにて判断した場合には（ステップ４１６にてＮＯ）、ステップ４１３の処理に戻る。一方、操作検知部２ａが検知した操作が閉じるボタンの押下である（換言すると、閉じるボタンの押下操作が行われた）と判定部２ｂにて判断した場合には（ステップ４１６にてＹＥＳ）、画面生成部７は、スクリーンセーバーを起動する前に表示されていたリンク画面８ｃの画面データを記憶部３から取得する。制御部２は、リンク画面８ｃを表示部８に表示させる（ステップ４１７）。そして、看護支援システム１が動作している間、看護支援システム１の各構成要素は、ステップ４０１〜４１７の処理を繰り返し実行する。
【００４０】
以上、詳しく説明したように、本実施形態による看護支援システム１は、医療従事者が患者に対して実施する看護行為の内容を示す看護行為情報とその看護行為の内容の要約を示す要約情報とを対応付けて予め記憶部３に記憶しておく。タイマー部９にて計測した時間が所定の時間になったと判定部２ｂにて判断した場合に、そこまで操作検知部２ａが操作を検知していないと判定部２ｂにて判断したときに、重要事項を抽出するための所定の条件（現在日時から一時間以内に実施する看護行為）の看護行為情報に対応付けられている要約情報を記憶部３から取得する。制御部２は、取得した要約情報を含む文字列で構成されるスクリーンセーバーコンテンツを、スクリーンセーバー生成部５にて生成したコンテンツデータにより取得し、表示部８に表示させる。そして、スクリーンセーバーコンテンツを表示している間に、操作検知部２ａにて操作を検知した場合に、リンク情報生成部６は、スクリーンセーバーコンテンツとして表示されていた要約情報に対応付けて記憶部３に記憶されている看護行為情報を表示するためのリンク情報を生成する。制御部２は、リンク情報生成部６にて生成したリンク情報を含む画面データを表示部８に表示させている。これにより、表示されたリンクを操作することで、スクリーンセーバーコンテンツに表示されていた要約に対応付けられている看護行為の内容などの重要事項についての詳細を画面に表示させることができるので、医療従事者などは、スクリーンセーバーコンテンツとして表示されていた重要事項についての詳細を容易に確認することができる。また、本実施形態では、スクリーンセーバーを起動する前の病棟管理日誌画面８ｘがリンク画面８ｃに含まれているので、医療従事者などの使用者は、スクリーンセーバーコンテンツが表示される前の病棟管理日誌画面８ａの内容を把握することができる。
【００４１】
なお、前述した実施形態では、スクリーンセーバーを解除させた際に、画面生成部７は、スクリーンセーバーコンテンツが表示部８に表示される前に表示されていた病棟管理日誌画面８ａの画面データにリンク情報生成部６にて生成したリンク情報を表示するための画面データを含ませたリンク画面８ｃの画面データを生成しているが、これに限定されない。例えば、画面生成部７は、リンク情報生成部６にて生成したリンク情報のみを含む画面データをリンク画面の画面データとして生成するようにしても良い。
【００４２】
また、前述した実施形態では、スクリーンセーバー生成部５は、情報取得部４が所定の条件により取得した一件の看護行為情報に対応する一件の要約情報を含む文字列でスクリーンセーバーコンテンツを生成しているが、これに限定されない。例えば、スクリーンセーバー生成部５は、情報取得部４が所定の条件により取得した複数件の看護行為情報に対応する複数件の要約情報を含む文字列でスクリーンセーバーコンテンツを生成するようにしても良い。
【００４３】
また、本変形例において、複数件の要約情報を含む文字列で構成されるスクリーンセーバーコンテンツを構成するためのコンテンツデータを生成する場合に、スクリーンセーバー生成部５は、複数件の要約情報を一件ずつ表示するようなスクリーンセーバーコンテンツを構成するためのコンテンツデータを生成するようにしても良いし、複数件の要約情報を何件か同時に表示するようなスクリーンセーバーコンテンツを構成するためのコンテンツデータを生成するようにしても良い。
【００４４】
また、スクリーンセーバーコンテンツに複数件の要約情報が表示される場合に、リンク情報生成部６は、コンテンツデータに含まれている複数件の要約情報のうち、スクリーンセーバー画面８ｂに現在表示されている要約情報のみを取得し、取得した要約情報に対応する看護行為情報を表示するためのリンクを示すリンク情報を生成するようにしても良い。
【００４５】
また、前述した実施形態では、制御部２は、リンクの操作により要約情報に関連付けて記憶部３に記憶されている看護行為情報を取得しているが、これに限定されない。例えば、実施予定一覧や看護計画一覧などの看護行為情報であっても良い。要は、要約情報に対して詳細な内容であればどのような情報であっても良い。
【００４６】
その他、看護支援システム１の構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【図面の簡単な説明】
【００４７】
【図１】本実施形態による看護支援システムのブロック図である。
【図２】本実施形態による看護支援システムの記憶部の記憶内容例を示す説明図である。
【図３】本実施形態による看護支援システムの表示部の画面の遷移例を示す説明図である。
【図４】本実施形態による看護支援システムの動作を示すフローチャートである。
【符号の説明】
【００４８】
１    看護支援システム
２    制御部
３    記憶部
４    情報取得部
５    スクリーンセーバー生成部
６    リンク情報生成部
７    画面生成部
９    タイマー部
２ａ    操作検知部
２ｂ    判定部
８    表示部
８ａ    病棟管理日誌画面
８ｂ    スクリーンセーバー画面
８ｃ    リンク画面
８ｄ    看護行為詳細画面
８ｘ    スクリーンセーバーを起動する前の病棟管理日誌画面
８ｙ    リンク表示画面
８１    リンク
３１    看護行為領域
３２    要約領域
【図１】
2010039522.tif 000003
【図２】
2010039522.tif 000004
【図３】
2010039522.tif 000005
【図４】
2010039522.tif 000006